(57)【要約】【課題】  プレートの係合溝に係合するもう一方の鉄筋が、両Ｕボルトと共に一方の鉄筋の円周方向に回転するのを阻止する力が強く、これにより、鉄筋交差部の締結力を高めることができる鉄筋交差部締結金具の提供。【解決手段】  第１鉄筋４と第２鉄筋５との交差部における第１鉄筋４に当接係合する係合溝１１を有するプレート１と、２本のＵボルト２、２及びナット３、３との組み合わせよりなり、プレート１は、その両端部にそれぞれ係合溝１１に沿って２つのボルト挿通孔１２を備え、両Ｕボルト２、２のＵ字状折曲部２１、２１における少なくとも第２鉄筋５が当接する部分に円周方向に沿って凹凸部２１ａ、２１ａを備え、２本のＵボルト２、２第２鉄筋５側からプレート１の挿通孔１２に挿通させ、ナット３を螺合してそれぞれ締結することにより、２本のＵボルト２、とプレート１との間に両鉄筋４、５の交差部を強固に締結固定する構成。【選択図】      図５
2016204911.tif 000002
【特許請求の範囲】
【請求項１】
第１鉄筋と第２鉄筋との交差部における第１鉄筋に当接係合する係合溝を有するプレートと、２本のＵボルト及びナットとの組み合わせよりなり、
前記プレートは、その両端部にそれぞれ前記係合溝に沿って複数のボルト挿通孔を備え、
前記両ＵボルトのＵ字状折曲部における少なくとも第２鉄筋が当接する部分に円周方向に沿って凹凸部を備え、
前記２本のＵボルトを前記第２鉄筋側から前記プレートの挿通孔に挿通させ、ナットを螺合してそれぞれ締結することにより、２本のＵボルトとプレートとの間に両鉄筋の交差部を強固に締結固定する構成としたことを特徴とする鉄筋交差部締結金具。
【請求項２】
請求項１記載の鉄筋交差部締結金具において、
前記両Ｕボルトにおける第２鉄筋が当接する部分の凹凸部が雄ねじで構成されていることを特徴とする鉄筋交差部締結金具。
【発明の詳細な説明】
【技術分野】
【０００１】
本発明は、鉄筋かご製作時に、主鉄筋・組立筋・補強筋・帯鉄筋相互の交差部等を締結固定する用途等に用いられる鉄筋交差部締結金具に関する。
【背景技術】
【０００２】
従来、鉄筋交差部を強固に固定する締結具としては、第１鉄筋と第２鉄筋との交差部における第１鉄筋に当接係合する係合溝を有するプレートと、両端に雄ねじ部を有する２本のＵボルト及びナットとの組み合わせよりなり、前記プレートは、その両端部にそれぞれ前記係合溝に沿って２つのボルト挿通孔を備え、前記２本のＵボルトを前記第２鉄筋側から前記プレートの挿通孔に挿通させ、ナットを螺合してそれぞれ締結することにより、２本のＵボルトとプレートとの間に両鉄筋の交差部を締結固定する構成としたものが開示されている（例えば、特許文献１参照）。
【先行技術文献】
【特許文献】
【０００３】
【特許文献１】特開２０１４−１８１５１４号公報
【発明の概要】
【発明が解決しようとする課題】
【０００４】
しかしながら、従来例の鉄筋交差部締結金具にあっては、一方の鉄筋に当接する両ＵボルトのＵ字状折曲部は断面円形で、かつ、長手方向に凹凸がなく滑らかであるため、一方の鉄筋に対する円周方向の摩擦抵抗が極めて低く、このため、
プレートの係合溝に係合するもう一方の鉄筋が、両Ｕボルトと共に一方の鉄筋の円周方向に回転するのを阻止する力が極めて弱いという問題があった。
【０００５】
本発明の解決しようとする課題は、プレートの係合溝に係合するもう一方の鉄筋が、両Ｕボルトと共に一方の鉄筋の円周方向に回転するのを阻止する力が強く、これにより、鉄筋交差部の締結力を高めることができる鉄筋交差部締結金具を提供することにある。
【課題を解決するための手段】
【０００６】
上記課題を解決するため請求項１記載の鉄筋交差部締結金具は、第１鉄筋と第２鉄筋との交差部における第１鉄筋に当接係合する係合溝を有するプレートと、２本のＵボルト及びナットとの組み合わせよりなり、
前記プレートは、その両端部にそれぞれ前記係合溝に沿って複数のボルト挿通孔を備え、
前記両ＵボルトのＵ字状折曲部における少なくとも第２鉄筋が当接する部分に円周方向に沿って凹凸部を備え、
前記２本のＵボルトを前記第２鉄筋側から前記プレートの挿通孔に挿通させ、ナットを螺合してそれぞれ締結することにより、２本のＵボルトとプレートとの間に両鉄筋の交差部を強固に締結固定する構成としたことを特徴とする手段とした。
【０００７】
また、請求項２記載の鉄筋交差部締結金具は、請求項１記載の鉄筋交差部締結金具において、
前記両Ｕボルトにおける第２鉄筋が当接する部分の凹凸部が雄ねじで構成されていることを特徴とする手段とした。
【発明の効果】
【０００８】
請求項１記載の鉄筋交差部締結金具では、上述のように、前記両ＵボルトのＵ字状折曲部における少なくとも第２鉄筋が当接する部分に円周方向に沿って凹凸部を備えた構成としたことで、プレートの係合溝に係合するもう一方の鉄筋が、両Ｕボルトと共に一方の鉄筋の円周方向に回転するのを阻止する力が強くなり、これにより、鉄筋交差部の締結力を高めることができるようになるという効果が得られる。
【０００９】
請求項２記載の鉄筋交差部締結金具では、上述のように、前記両Ｕボルトにおける第２鉄筋が当接する部分の凹凸部が雄ねじで構成されることで、全長にわたって雄ねじ部を有する雄ねじ棒を単にＵ字状に曲げる作業のみで、Ｕ字状折曲部に凹凸を有するＵボルトを安価に製造することができるようになる。
【図面の簡単な説明】
【００１０】
【図１】実施例１の鉄筋交差部締結金具を示す平面図である。
【図２】実施例１の鉄筋交差部締結金具を示す背面図である。
【図３】実施例１の鉄筋交差部締結金具を示す底面図である。
【図４】実施例１の鉄筋交差部締結金具を示す左側面図である。
【図５】実施例１の鉄筋交差部締結金具の使用状態を示す斜視図である。
【発明を実施するための形態】
【００１１】
以下にこの発明の実施例を図面に基づいて説明する。
【実施例１】
【００１２】
まず、この実施例１の鉄筋交差部締結金具を図１〜８に基づいて説明する。
この鉄筋交差部締結金具は、プレート１と、２本のＵボルト２、２と、ナット３、３と、を備えている。
【００１３】
さらに詳述すると、前記プレート１は、方形の金属板のプレス成形等の板金により、中央に第１鉄筋４と第２鉄筋５との交差部における上側の第１鉄筋４に当接係合する半円状の係合溝１１が形成されている。
【００１４】
また、プレート１は、その両端部にそれぞれ係合溝１１に沿って２つのボルト挿通孔１２ａを備え、係合溝１１部には１つの開口部１３が形成されている。
【００１５】
また、両Ｕボルト２、２のＵ字状折曲部２１、２１における少なくとも第２鉄筋５が当接する部分に円周方向に沿って凹凸部２１ａ、２１ａを備えており、この実施例１では凹凸部２１ａ、２１ａが雄ねじで構成されている。
【００１６】
次に、この実施例１の作用・効果を説明する。
この実施例１では上述のように構成されるため、１本の第１鉄筋４と、１本の第２鉄筋５との交差部を締結固定する場合は、図７に示すように、２本のＵボルト２、２と、プレート１を用い、２本のＵボルト２、２を第２鉄筋５側からプレート１の挿通孔１２ａ、１２ａに挿通させ、ナット３、３を螺合してそれぞれ締結することにより、２本のＵボルト２、２とプレート１との間に両鉄筋４、５の交差部を強固に締結固定することができる。
【００１７】
また、両Ｕボルト１のＵ字状折曲部２１における少なくとも第２鉄筋５が当接する部分に円周方向に沿って凹凸部２１ａを構成する雄ねじを備えた構成としたことで、プレート１の係合溝１１に係合するもう第１鉄筋４が、両Ｕボルト２と共に第２鉄筋の円周方向に回転するのを阻止する力が強くなり、これにより、鉄筋交差部の締結力をさらに高めることができるようになるという効果が得られる。
【００１８】
また、両Ｕボルト２における第２鉄筋５が当接する部分の凹凸部２１ａが雄ねじで構成されることで、全長にわたって雄ねじを有する雄ねじ棒を単にＵ字状に曲げる作業のみで、Ｕ字状折曲部２１に凹凸部２１ａを有するＵボルト１を安価に製造することができるようになる。
【００１９】
また、プレート１における係合溝１１の部分に開口部１３が形成されることで、コンクリート打設時におけるプレート裏部分に空洞が形成されるのを防止できるようになる。
【００２０】
以上本実施例を説明してきたが、本発明は上述の実施例に限られるものではなく、本発明の要旨を逸脱しない範囲の設計変更等があっても、本発明に含まれる。
【００２１】
例えば、実施例では、両Ｕボルト２における第２鉄筋５が当接する部分の凹凸部２１ａが雄ねじで構成した例を示したが、少なくとも第２鉄筋５が当接する部分に円周方向に沿って凹凸部２１ａを備えた構造であればその具体的形状は任意である。
【００２２】
また、実施例では、係合溝１１を板金で半円状に形成した例を示したが、係合溝の形成方法及び形状は任意である。
【００２３】
また、実施例では、通常のナット３を図示したが、フランジ付きナットを用いるのが望ましい。
【符号の説明】
【００２４】
１  プレート
１１  係合溝
１２ａ  ボルト挿通孔
１３  開口部
２  Ｕボルト
２１  Ｕ字状折曲部
２１ａ  凹凸部
３  ナット
４  第１鉄筋
５  第２鉄筋
【図１】
2016204911.tif 000003
【図２】
2016204911.tif 000004
【図３】
2016204911.tif 000005
【図４】
2016204911.tif 000006
【図５】
2016204911.tif 000007